(57)【要約】【課題】整地作業中におけるツースの脱落を防止する。【解決手段】固定手段により嵌合部の側部からアダプターに対して固定する【選択図】図３
2006200136.tif 000002
【特許請求の範囲】
【請求項１】
バケットの先端部分に着脱可能に取り付けられるツースにおいて、当該ツースは、前記バケットに設けられたアダプター部に嵌合する嵌合部と、嵌合部に一体形成された整地板と、前記嵌合部をアダプター部に対して固定する固定手段とから構成され、当該固定手段は、嵌合部の側部からアダプターに対して固定するものであることを特徴とする重機のバケット用のツース。
【請求項２】
前記ツースを装着した状態において、当該ツースの左右端部の表面を、バケットのサイドカッターの下端部に近接または接触するように構成されていることを特徴とする請求項１に記載の重機のバケット用のツース。
【請求項３】
前記ツースは、すべての嵌合部を整地板によって一体に連設してなることを特徴とする請求項１または請求項２に記載の重機のバケット用のツース。
【請求項４】
嵌合部を複数の独立したピース状とし、夫々アダプター部に取り付けることによってツース部を構成するものであること特徴とする請求項１または請求項２に記載の重機のバケット用のツース。
【発明の詳細な説明】
【技術分野】
【０００１】
本発明は、重機のバケットのフォーク部分に着脱可能に装着するツースに関する。
【背景技術】
【０００２】
本願発明のバケット用のツースに関連する先行技術文献情報としては、たとえば、下記特許文献１から特許文献３のものが有る。
【特許文献１】特開平１０−２５９６２０号公報
【特許文献２】特開平１１−１４８１４９号公報
【特許文献３】特開平９−１３７４７７号公報
【発明の開示】
【発明が解決しようとする課題】
【０００３】
ところで、前記特許文献１ないし特許文献３に記載のものは、ツースをバケットのアダプターに対して固定する固定手段が、嵌合部の上部から固定及び固定解除操作するものであり、嵌合部の上部に露出している
しかしながら、固定手段が前記のような構成であると、整地作業中において地面の土砂や石等が固定手段に接触し、この接触により作業中に固定解除されてツースが脱落する可能性が有る。
【０００４】
そこで本発明は、整地作業中におけるツースの脱落を防止することを課題とし、この課題を解決する重機のバケット用のツースの提供を目的とする。
【課題を解決するための手段】
【０００５】
本発明は、前記目的を達成するため、下記の技術的手段を採用した。
バケットの先端部分に着脱可能に取り付けられるツースにおいて、当該ツースは、前記バケットに設けられたアダプター部に嵌合する嵌合部と、嵌合部に一体形成された整地板と、前記嵌合部をアダプター部に対して固定する固定手段とから構成され、当該固定手段は、嵌合部の側部からアダプターに対して固定するものであることを特徴としている(第１発明)。
【０００６】
前記ツースを装着した状態において、当該ツースの左右端部の表面を、バケットのサイドカッターの下端部に近接または接触するように構成することが好ましい（第２発明）。
【０００７】
前記ツースは、すべての嵌合部を整地板によって一体に連設してなる形態（第３発明）や、嵌合部を複数の独立したピース状とし、夫々アダプター部に取り付けることによってツース部を構成する形態(第４発明)が挙げられる。
【発明の効果】
【０００８】
本発明によれば、下記の優れた効果が期待できる。
第１発明によれば、固定手段が嵌合部の側部から固定操作及び固定解除操作するものであるので、整地作業中においてツースの脱落を防止することができる。
第２発明によれば、ツースにおける整地板とサイドカッターとの隙間を小さくまたは無くすことによって、整地中にバケット側部位からの土砂の流出を抑制し、より確実な整地を行うことができる。
第３発明によれば、ツースの着脱が迅速に行える効果が有り、第４発明によれば、ツースの破損時において破損したツースのみを交換すればよいので、ツース全体を交換することに比べて部品コストの低減が期待できる。
【発明を実施するための最良の形態】
【０００９】
以下、本発明の重機のバケット用のツースを実施するための最良の形態を図面に基づいて説明する。
図１〜図４は、本発明の第１の形態を示し、図５は、本発明の第２の形態を示す。
【００１０】
(第１の形態)
第１の形態のツース１は、バケットＡの先端部に固着された複数(図示では５個)のアダプター部２の一個毎に装着するピース状のものである。
前記ツース１は、第１ツース部１１〜第５ツース部１２から構成され、第１ツース部１１を第１アダプター部２１に、第２ツース部１２を第２アダプター部２２に、第３ツース部１３を第３アダプター部２３に、第４ツース部１４を第４アダプター部２４に、第５ツース部１５を第５アダプター部２５に装着することによって、一枚の板状を呈する整地板３を備えたツース１が構成される。
【００１１】
第１ツース部１１は、ツース１の一端部を構成するものであり、第５ツース部１５は、ツース１の他端部を構成するものである。
また、第２ツース部１２〜第４ツース部１４は、ツース１の前記第１ツース部１１と第５ツース部１５間の部位を構成するものである。
前記各ツース部は、前記各アダプター部に嵌合する嵌合部４と、前記整地板３の一部を構成する整地板部３１と、嵌合部４と第１アダプター部２１の装着状態を固定及び固定解除する固定手段５とから構成されている。
【００１２】
前記各アダプター部は、バケットＡの先端部から前方へ突出するように固着され、突出部分に前記嵌合部４が嵌合する。
各アダプター部の側部には、前記固定手段５の一部を構成する貫通孔５１が開孔されている。
前記嵌合部４には、前方から両側部に亘って一体的に前記整地板部３１が連設され、前記各アダプター部に装着した際に隣り合う整地板部３１同士が重なり合うように設けられている。
前記重なり合う整地板部３１の一方の表面と他方の裏面には、重なり合った際に段差を吸収するための重合段部３２が形成され、当該重合段部３２同士が重なり合うことによって前記各ツース部を装着した際に表面に段差の無い一枚の板状を呈する整地板３が形成される。
また、前記第１ツース部１１と第５ツース部１５における整地板部３１の端部を、先端から後端へ高くなるように傾斜させて、その端部の表面をバケットＡのサイドカッターＡ１の下端部に近接するように形成している。
また、嵌合部４には、その後端に前記各アダプター部に適合する形状の凹部４１が凹設され、側部には、前記固定手段５の一部を構成する貫通孔５２が開孔されている。
前記貫通孔５２は、前記貫通孔５１と、嵌合部４が対応するアダプター部に嵌合した状態において連通するように形成されている。
【００１３】
前記固定手段５は、前記両貫通孔５１，５２と、当該貫通孔５１，５２に貫通状に嵌合して嵌合部４を前記各アダプター部に連結するためのロックピン５３とで構成されている(図３参照)。
前記ロックピン５３には、前記嵌合部４と各アダプター部との連結状態を保持する保持部(図示せず)が設けられている。
なお、前記保持部は、たとえば、ボルト・ナットで締め付けることによってロックピン５３を前記貫通孔５１，５２に固定する構成や、ボルトを締め付けることによってロックピン５３の側部が突出し、当該側部が前記貫通孔５１，４２の内面に押し付けられるその押し付け力によって固定する構成等により達成できる。
【００１４】
(第２の形態)
第２の形態のツース１は、図５に示すように、すべての嵌合部４を整地板３によって一体に連設されているものである。
すなわち、前記第１の形態のツースは、前記各ツース部をそれぞれ嵌合突起４Ａへ嵌合することによってツースが構成されるものであるのに対して、第２の形態のツース１は、嵌合部４と整地板３が一体形成されてなるものであり、前記各アダプター部に対する着脱が迅速に行えるものである。
また、本形態のツース１の整地板３における左右端部の整地板部３１を先端から後端へ高くなるように傾斜させて、その端部の表面をバケットＡのサイドカッターＡ１の下端部に近接するように形成している。
なお、固定手段５および嵌合部４の構成は前記第１の形態と同様であるので、同符号を付すことにより説明は省略した。
【００１５】
なお、本発明は、例示した実施の形態に限定するものでは無く、特許請求の範囲の各項に記載された内容から逸脱しない範囲の構成による実施が可能である。
【図面の簡単な説明】
【００１６】
【図１】本発明に係る第１の形態のツースの分解斜視図。
【図２】ツースを取り付けた平面図。
【図３】ツースを取り付けた側面図。
【図４】ツースを取り付けた正面図。
【図５】本発明に係るツースの斜視図。
【符号の説明】
【００１７】
Ａ：バケット
１：ツース
２：アダプター
３：整地板
４：嵌合部
４Ａ：嵌合突起
５：固定手段
１１：第１ツース部
１２：第２ツース部
１３：第３ツース部
１４：第４ツース部
１５：第５ツース部
２１：第１アダプター部
２２：第２アダプター部
２３：第３アダプター部
２４：第４アダプター部
２５：第５アダプター部
３１：整地板部
３２：重合段部
４１：凹部
５１：貫通孔
５２：貫通孔
５３：ロックピン
【図１】
2006200136.tif 000003
【図２】
2006200136.tif 000004
【図３】
2006200136.tif 000005
【図４】
2006200136.tif 000006
【図５】
2006200136.tif 000007